(57)【要約】【課題】  騒音の低減や埃の低減を不十分である点を解決することで、騒音の低減や埃の低減を図り、作業環境の保全を図ることを可能にする。【解決手段】  グラスバッグ２２４を、略直方体形状を呈したインナ部材２４２と、このインナ部材２４２の一部を覆う膨出（膨張）可能なアウタ部材２４３と、から構成し、インナ部材２４２が、略直方体の上面２７６、左・右側面２７７，２７８及び後面２７９を通気性布部材で形成し、略直方体の底面（底部材）２４８を非通気性部材で形成し、略直方体の前面を開口させてインナ開口部２４５を形成し、このインナ開口部２４５を刈草搬送通路３２に臨ませものであり、アウタ部材２４３が、インナ部材２４２の上面２７６、左・右側面２７７，２７８及び後面２７９を空間を設けて非通気性布部材で覆い、インナ開口部２４５側にアウタ開口部２５２を形成し、このアウタ開口部２５２を排風戻し通路３３に臨ませた。【選択図】      図２０
2006006204.tif 000002
【特許請求の範囲】
【請求項１】
動力源でカッタブレードを回転させ、このカッタブレードをカッタハウジングで覆い、カッタハウジングに刈草を搬送する刈草搬送通路を設けるとともに排風を戻す排風戻し通路設け、これらの刈草搬送通路及び排風戻し通路に刈草を溜めるグラスバッグを連通させ、カッタブレードのエアリフト部で発生させる搬送風で刈草を刈草搬送通路を経由させてグラスバッグに搬送し、このグラスバッグから排風のみを排風戻し通路を経由させてカッタハウジングに戻す形式の芝刈機において、
前記グラスバッグは、略直方体形状を呈したインナ部材と、このインナ部材を覆う膨出可能なアウタ部材と、からなり、
前記インナ部材は、前記略直方体の上面、左・右側面及び後面を通気性布部材で形成し、前記略直方体の底面を非通気性部材で形成し、前記略直方体の前面を開口させてインナ開口部を形成し、このインナ開口部を前記刈草搬送通路に臨ませたものであり、
前記アウタ部材は、前記インナ部材の上面、左・右側面及び後面を空間を設けて非通気性部材で覆い、前記インナ開口部側にアウタ開口部を形成し、このアウタ開口部を前記排風戻し通路に臨ませたものであることを特徴とする芝刈機。
【請求項２】
前記インナ部材の底面を、前記略直方体の上面、左・右側面及び後面と非通気性布部材で一体的に形成するとともに、前記底面を、前記アウタ部材で覆ったことを特徴とする請求項１記載の芝刈機。
【発明の詳細な説明】
【技術分野】
【０００１】
本発明は、カッタハウジングから搬送風とともにグラスバッグに刈草を搬送し、グラスバッグに刈草を収拾し、この刈草を搬送した搬送風（排風）をグラスバッグからからカッタハウジングに戻すことができる芝刈機に関するものである。
【背景技術】
【０００２】
芝刈機として、カッタブレードで芝草面を刈り、刈った刈草をカッタブレードで発生させる搬送風とともに刈草搬送通路からグラスバッグに搬送し、このグラスバッグから排風のみを排風戻し通路からカッタハウジングに戻すようにしたものが知られている。
【０００３】
このような芝刈機として、グラスバッグからカッタハウジングの上部に排風を戻すようにして、騒音の低減や埃の低減を図ろうとするものがある（例えば、特許文献１参照。）。
【特許文献１】米国特許第４６３１９０９号公報（第１図）
【０００４】
図２１は従来の基本構成を説明する図であり、芝刈機３２０は、カッタハウジング３２１にカッタブレード３２２を回転自在に配置し、カッタハウジング３２１に刈草を搬送する刈草搬送通路３２３を設け、カッタハウジング３２１に排風を戻す排風戻し通路３２４を設け、これらの刈草搬送通路３２３の出口３２５及び排風戻し通路３２４の入口３２６に通気性の素材で形成したグラスバッグ３２７を臨ませた排風還流式の芝刈機である。
【０００５】
しかし、芝刈機３２０では、刈草と搬送風（排風）を分離するためグラスバッグ３２７に通気性の素材を用いるものであり、搬送風の一部はグラスバッグ３２７の外へ排出し、搬送風の残部をカッタハウジング３２１に戻すものなので、搬送風の一部はグラスバッグ３２７の外へ排出するので、騒音の低減効果が十分に得ることができないという問題があった。
また、芝刈機３２０では、同様にグラスバッグ３２７から排出する排風とともに埃が排出され、埃の低減効果が十分でないという欠点があった。
【０００６】
すなわち、騒音の低減や埃の低減を図り、環境保全を図ることができる芝刈機が望まれる。
【発明の開示】
【発明が解決しようとする課題】
【０００７】
本発明は、騒音の低減や埃の低減を不十分である点を解決し、騒音の低減や埃の低減を図ることで作業環境の保全を図ることのできる芝刈機を提供することを課題とする。
【課題を解決するための手段】
【０００８】
請求項１に係る発明は、動力源でカッタブレードを回転させ、このカッタブレードをカッタハウジングで覆い、カッタハウジングに刈草を搬送する刈草搬送通路を設けるとともに排風を戻す排風戻し通路設け、これらの刈草搬送通路及び排風戻し通路に刈草を溜めるグラスバッグを連通させ、カッタブレードのエアリフト部で発生させる搬送風で刈草を刈草搬送通路を経由させてグラスバッグに搬送し、このグラスバッグから排風のみを排風戻し通路を経由させてカッタハウジングに戻す形式の芝刈機において、グラスバッグを、略直方体形状を呈したインナ部材と、このインナ部材を覆う膨出可能なアウタ部材と、から構成し、インナ部材が、略直方体の上面、左・右側面及び後面を通気性布部材で形成し、略直方体の底面を非通気性部材で形成し、略直方体の前面を開口させてインナ開口部を形成し、このインナ開口部を刈草搬送通路に臨ませものであり、アウタ部材が、インナ部材の上面、左・右側面及び後面を空間を設けて非通気性布部材で覆い、インナ開口部側にアウタ開口部を形成し、このアウタ開口部を排風戻し通路に臨ませたものであることを特徴とする。
【０００９】
インナ部材を、略直方体形状に形成し、略直方体の前面にインナ開口部を設け、このインナ開口部を刈草搬送通路に臨ませることで、刈草搬送通路からインナ部材に刈草を搬送する。
略直方体の底面を非通気性部材で形成し、略直方体の上面、左・右側面及び後面を通気性布部材で形成することで、インナ部材に刈草を残し、上面、左・右側面及び後面から刈草を搬送済みの搬送風を排風としてアウタ部材に流出させる。
【００１０】
アウタ部材でインナ部材の上面、左・右側面及び後面を空間を設けて覆い、アウタ部材のインナ開口部側にアウタ開口部を形成し、このアウタ開口部を排風戻し通路に臨ませ、インナ部材の上面、左・右側面及び後面から放出した排風でアウタ部材を膨出させて排風をアウタ開口部から排風戻し通路に流す。
【００１１】
請求項２に係る発明は、インナ部材の底面を、略直方体の上面、左・右側面及び後面と非通気性布部材で一体的に形成するとともに、底面を、アウタ部材で覆ったことを特徴とする。
インナ部材の底面を、略直方体の上面、左・右側面及び後面と非通気性布部材で一体的に形成するとともに、底面を、アウタ部材で覆うことで、グラスバッグを軽量に形成する。
【発明の効果】
【００１２】
請求項１に係る発明では、インナ部材の上面、左・右側面及び後面を通気性布部材で形成し、インナ部材の上面、左・右側面及び後面を空間を設けて非通気性布部材で覆い、インナ部材の上面、左・右側面及び後面から放出した排風でアウタ部材を膨出させて排風をアウタ開口部から排風戻し通路に戻すようにしたので、グラスバッグからカッタハウジングに排風を環流（循環）させることができる。この結果、グラスバッグから排風を排出することによる騒音の低減を図ることができ、排風とともに排出される埃の低減を図ることができるという利点がある。
また、略直方体形状のインナ部材の上面、左・右側面及び後面を空間を設けて非通気性布部材のアウタ部材で覆ったので、インナ部材及びアウタ部材の間に十分な空間を確保することができる。この結果、排風をすべて排風戻し通路に導くことができるという利点がある。
【００１３】
請求項２に係る発明では、インナ部材の底面を、略直方体の上面、左・右側面及び後面と非通気性布部材で一体的に形成するとともに、底面を、アウタ部材で覆ったので、グラスバッグを軽量に形成することができる。この結果、芝刈機を軽量にすることができるという利点がある。
【発明を実施するための最良の形態】
【００１４】
本発明を実施するための最良の形態を添付図に基づいて以下に説明する。なお、図面は符号の向きに見るものとする。
図１は本発明に係る第１実施形態の芝刈機の斜視図であり、芝刈機１０は、カッタハウジング（カッタデッキ）１２から搬送風とともにグラスバッグ２４に刈草を搬送し、グラスバッグ２４に刈草を収拾し、この刈草を搬送した搬送風を排風としてグラスバッグ２４からからカッタハウジング１２に戻すようにした排風還流式（排気循環式）の芝刈機である。
【００１５】
また、芝刈機１０は、動力源としてのエンジン１３でカッタブレード１４を回転させ、芝草面を刈るとともに、エンジン１３の回転を後輪１７に伝達し、エンジン１３で後輪１７を駆動するようにした自走式の芝刈機でもある。以下、その詳細を説明する。
【００１６】
図中、１１は機体、１５は前輪、１８はハンドルステー、１９はハンドル、２３はディスチャージガード（グラスカバー）、２５はカッタレバー、２６は変速レバー、２７はヘッドカバー、２８はカッタブレード１４の回転軸を示す。
【００１７】
図２は図１の２−２線断面図であり、芝刈機１０の側面断面を示す。なお、カッタレバー２５（図１参照）、変速レバー２６は省略する（以下同じ）。
カッタハウジング１２は、カッタブレード１４の回転を許容するとともにカッタブレード１４を囲むスクロール部３１と、このスクロール部３１から延出することで刈草（刈芝）を搬送風とともにグラスバッグ２４に搬送する刈草搬送通路（刈芝草搬送通路）３２と、搬送した刈草のみをグラスバッグ２４に残して排風（空気）のみをカッタハウジング１２に戻す排風戻し通路（空気戻し通路）３３と、この排風戻し通路３３を臨ませる空洞部３４と、排風を補助的にカッタハウジング１２に戻すためにカッタハウジング１２の後壁３５に形成した補助排風戻し通路としての複数の貫通孔３６・・・（・・・は複数個を示す。以下同じ）備える。なお、２１はカッタハウジング１２の後部上面、２２はカッタハウジング１２の後部下端、３７はスクロール部３１の後部エッジを示す。
【００１８】
スクロール部３１は、カッタブレード１４で芝草（芝草面）を刈り、刈取った刈草をグラスバッグ２４へ送るための囲いである。
刈草搬送通路３２は、スクロール部３１から機体１１後方に延ばすとともに機体１１の片方側に形成した通路であり、排風戻し通路３３は、刈草搬送通路３２に隣接させ且つ略直交させて形成した通路である。
【００１９】
なお、４２は刈草を収拾するグラスバッグ２４の刈草収拾部、５１はカバー部材４４及びグラスバッグ２４の網状部材４３の上面の後部で形成する排風導通路を示す。また、５２はディスチャージガード２３及びグラスバッグ２４の網状部材４３の上面の前部で形成する接続通路であって、接続通路５２は排風戻し通路３３の延長にあり、排風戻し通路３３の一部を担う通路である。
【００２０】
また、６７はカッタハウジング１２の後部下端２２（後壁３５の下部）に設けることで、排風の逃げを防止するとともに、排風をカッタハウジング１２に指向させる排風ガード（仕切り部材）である。芝刈機１０は、カッタハウジング１２の後部下端２２に排風ガード６７を設けることで、排風循環（排風還流）効率を向上することができる。この結果、十分な騒音の低減や埃の低減を図ることができ、作業環境の保全を図ることができる。
【００２１】
図３は図１の３−３線断面図であり、芝刈機１０の平面断面を示す。
カッタブレード１４は、白抜き矢印Ａ，Ａで示す回転方向に対して前側に位置する部位に刃部３８，３８を備え、これらの刃部３８，３８から回転方向に対して後側に位置する部位にかけて上方へ湾曲させたエアリフト部３９，３９を形成したもである。
【００２２】
すなわち、カッタブレード１４を回転させることで、エアリフト部３９，３９の下面に生ずる負圧で地表の芝草を立上げ、刃部３８，３８で芝草を刈取り、刈取った刈り芝をエアリフト部３９，３９の上面でヒットし、カッタブレード１４の回転で起きる旋回流に載せ、この旋回流を搬送風として作用させ、この搬送風とともに刈草を白抜き矢印Ｂのようにグラスバッグ２４に送るものである。
【００２３】
図４は図１の４矢視図であり、芝刈機１０の底面を示す。すなわち、芝刈機１０は、エンジン（動力源）１３でカッタブレード１４を回転させ、このカッタブレード１４をカッタハウジング１２で覆い、カッタハウジング１２に刈草を搬送する刈草搬送通路３２を設けるとともに排風を戻す排風戻し通路３３を設け、これらの刈草搬送通路３２及び排風戻し通路３３に刈草を溜めるグラスバッグ２４を連通させ、カッタブレード１４のエアリフト部３９，３９で発生させる搬送風で刈草を刈草搬送通路３２を経由させてグラスバッグ２４に搬送し、このグラスバッグ２４から排風のみを排風戻し通路３３を経由させてカッタハウジング１２に戻す排風還流式の芝刈機である。
【００２４】
なお、２９はエンジン１３から後輪１７，１７に動力を伝達する動力伝達部品である。
以下、ディスチャージガード２３（図２参照）、グラスバッグ２４、刈草搬送通路３２及び排風戻し通路３３の構成を詳細に説明する。
【００２５】
図５は本発明に係る第１実施形態の芝刈機の刈草搬送通路及び排風戻し通路を構成する主な部品の分解斜視図である。
ディスチャージガード２３は、カッタハウジング１２の後部上面２１に（具体的には、排風戻し通路３３の入口としての排風入口６１にシャフト６６を介して）開閉自在に取付けることで、排風戻し通路３３の排風入口６１の上部に位置する断面視Ｕ字状のカバーであって、カッタハウジング１２にグラスバッグ２４を取付けた状態ではグラスバッグ２４から排風戻し通路３３に排風を導く接続通路機能（後述する接続通路５２）の役目をさせ、カッタハウジング１２からグラスバッグ２４を取外したときは排風戻し通路３３の排風入口６１を塞ぐ蓋機能の役目をさせる部材である。
【００２６】
図中、６８は、シャフト６６に軸支させるとともに、排風戻し通路３３とディスチャージガード２３との間に介在させることで、排風戻し通路３３の排風入口６１を塞ぐ方向にディスチャージガード２３を付勢するリターンばねであって、ディスチャージガード２３のがたつき防止をするものである。
【００２７】
また、グラスバッグ２４は、カッタハウジング１２後面へ引っ掛けるだけの簡易な構造を採用したものなので、リターンばね６８は、グラスバッグ２４のカッタハウジング１２後面への保持を確実にするための機能、即ちグラスバッグ２４のがた防止機能及び外れ防止機能も併せ持つ。
【００２８】
後述するように、芝刈機１０を刈り放し作業でも使用する場合（図１１（ｂ）参照）には、ディスチャージガード２３に搬送風が直接当たる。すなわち、リターンばね６８がない場合には搬送風でディスチャージガード２３が持上げられたり、振動することがあるので、リターンばね６８は、カッタハウジング１２側にディスチャージガード２３を押えるための不可欠のばねと言える。
【００２９】
グラスバッグ２４は、カッタハウジング１２の後壁３５に着脱可能に取付ける略直方体形状の部材であって、カッタハウジング１２に取付けるフレーム体４１と、このフレーム体４１に取付けるとともに刈草を収拾するために非通気性の部材で形成した刈草収拾部４２と、この刈草収拾部４２の上面に設けた通気体の部材で形成した網状部材４３と、網状部材４３の上部に空間を空けるとともに前方を解放させ後方を塞いだ非通気体のカバー部材４４と、からなる。
【００３０】
例えば、カッタハウジング１２にグラスバッグ２４を取付ける係合部分を設け、この係合部分に係合させるフック機能をグラスバッグ２４に設けることで、グラスバッグ２４をカッタハウジング１２に着脱可能に取付けることが可能である。
【００３１】
刈草収拾部４２は、上面７６、左・右側面７７，７８及び後面７９をプラスチック（樹脂材）成形品、プラスチックシート若しくはプラスチックフィルムなどの非通気体で形成した本体部材４７と、底を樹脂成形部材形成した底面としての底部材４８と、カッタハウジング１２の後壁３５に当接させることで刈草搬送通路３２に臨ます開口部４５と、網状部材４３を取付ける上部開口４６と、を形成したものである。すなわち、刈草収拾部４２は、刈草を底部材４８側（下方）に残して搬送風を排風として網状部材４３側（上方）に逃がすことで、刈草及び搬送風を分離することができる。
【００３２】
カバー部材４４は、刈草収拾部４２の上部開口４６の後部を（刈草収拾部４２の上面後部）覆うことで、網状部材４３とともに排風を排風戻し通路３３に導く排風導通路５１を形成する部材であり、ディスチャージガード２３は、刈草収拾部４２の上部開口４６の前部（刈草収拾部４２の上面前部）を覆うことで、網状部材４３とともに排風を排風導通路５１から排風戻し通路３３に接続する接続通路５２を形成する部材でもある。
【００３３】
以上の通り、グラスバッグ２４は、略直方体形状に形成し、略直方体の前面に開口部４５を設け、この開口部４５を刈草搬送通路３２に臨ませ、略直方体の左・右側面７７，７８、後面７９及び底面（底部材）４８を非通気体にて形成することで、刈草を収拾する刈草収拾部４２を形成するとともに、略直方体の上面に通気体の網状部材４３を設け、この網状部材４３の上部に空間を空け、且つ前方を解放させ後方を塞いだ非通気体のカバー部材４４を被せることで、排風戻し通路３３に臨ませる排風導通路５１を形成したものと言える。
【００３４】
すなわち、グラスバッグ２４を略直方体形状に形成し、略直方体の前面に開口部４５を設け、この開口部４５を刈草搬送通路３２に臨ませて、この刈草搬送通路３２から搬送風で刈草をグラスバッグ２４に搬送することができる。
また、略直方体の左・右側面７７，７８、後面７９及び底面（底部材）４８を非通気体にて形成し、刈草を収拾する刈草収拾部４２を形成したので、略直方体の左・右側面７７，７８、後面７９及び底部材４８から排風を外部に流出させないようにすることができる。この結果、グラスバッグ２４から排風を排出する場合に比べ騒音を低減することができ、排風とともに排出される埃の低減を図ることができる。
【００３５】
略直方体の上面に通気体の網状部材４３を設けたので、刈草及び排風（搬送風）を分離することができる。
網状部材４２の上部に空間を空け、且つ前方を解放させ後方を塞いだ非通気体のカバー部材４４を被せることで、排風戻し通路３３に臨ませる排風導通路５１を形成することができ、この排風導通路５１を通じて排風を排風戻し通路３３に導くことができる。
【００３６】
一般的に、グラスバッグの上面の空間が余裕があり、網状部材４３の上部に空間を空けるとともに前方を解放させ後方を塞いだ非通気体のカバー部材４４を被せたので、排風導通路５１の通路断面積を十分にとることができる。この結果、排風をすべて排風戻し通路３３に導くことができる。
【００３７】
前述したように、刈草搬送通路３２は、スクロール部３１から機体１１（図２参照）後方に延ばすとともに機体１１の片方側に形成した通路であって、スクロール部３１に形成した搬送風入口５３と、後壁３５に開けた搬送風出口５４と、を備える。
【００３８】
また、排風戻し通路３３は、刈草搬送通路３２に隣接させ且つ略直交させて形成した通路であって、詳細には、カッタハウジング１２の空洞部３４に差込む（臨ます）通路であり、カッタハウジング１２の後部上面に左右のブラケット５５，５６を介して取付ける通路本体部５７と、この通路本体部５７に合わせることで筒状の通路を形成する補助部材５８と、からなる。
【００３９】
通路本体部５７は、排風を取込む桝状の排風入口６１と、この排風入口６１に設けることでディスチャージガード２３をシャフト６６を介して回転自在に支持する支持部６２，６２と、補助部材５８を取付ける支持壁６３と、からなる。
補助部材５８は、排風入口６１を狭める排風規制開口（排風絞り開口）６４と、排風を空洞部３４に排出する出口としての排風出口６５と、を形成した。
【００４０】
排風戻し通路３３を、通路本体部５７と、この通路本体部５７に合わせることで筒状の通路を形成する補助部材５８と、から構成することで、排風戻し通路３３の通路形状を任意に設定することができる。この結果、排風戻し通路３３の設計の自由度を広げることができる。
【００４１】
図６は本発明に係る第１実施形態の芝刈機の刈草搬送通路の斜視図であり、刈草搬送通路３２をカッタハウジング１２の前後方向に略水平に設けるとともに、排風戻し通路３３を刈草搬送通路３２に隣接させ且つ略直交させて設けたことを示す。
また、刈草搬送通路３２は、カッタハウジング１２の左後方に形成した通路であることを示し、カッタハウジング１２の後壁３５に複数の貫通孔３６・・・を形成したことを示す。
【００４２】
図７は本発明に係る第１実施形態の芝刈機の排風戻し通路の斜視図であり、排風戻し通路３３の排風入口６１にディスチャージガード２３をスイング可能に取付け、このディスチャージガード２３を跳ね上げ、網状部材４３及び刈草収拾部４２の上部開口４６を露出させるとともに、排風戻し通路３３の排風入口６１及び補助部材５８の排風規制開口６４を露出させた状態を示す。
【００４３】
すなわち、ディスチャージガード２３を刈草収拾部４２の上部開口４６の前部に被せることで、網状部材４３とともに排風を排風導通路５１から排風戻し通路３３に接続する接続通路５２（図２参照）を形成できることを示す。
【００４４】
図８は本発明に係る第１実施形態の芝刈機の通常作業での搬送風、刈草及び排風の流れを示す側面断面図であり、芝刈機１０は、カッタブレード１４で刈取った刈草４９を、搬送風とともに刈草搬送通路３２からグラスバッグ２４に送り、このグラスバッグ２４で刈草４９を収拾し、搬送風を排風として網状部材４３から排風導通路５１に導き、この排風導通路５１から接続通路５２を経由させて排風戻し通路３３へ流し、カッタハウジング（カッタデッキ）１２の空洞部３４に放出し、この空洞部３４に放出した排風をスクロール部３１にて発生させる負圧によってスクロール部３１（カッタハウジング１２）内に引込むように排風を還流（循環）させる。
【００４５】
すなわち、芝刈機１０は、エンジン（動力源）１３でカッタブレード１４を回転させ、このカッタブレード１４をカッタハウジング１２で覆い、カッタハウジング１２に刈草を搬送する刈草搬送通路３２を設けるとともに排風を戻す排風戻し通路３３を設け、これらの刈草搬送通路３２及び排風戻し通路３３に刈草を溜めるグラスバッグ２４を連通させ、カッタブレード１４のエアリフト部３９，３９で発生させる搬送風で刈草を刈草搬送通路３２を経由させてグラスバッグ２４に搬送し、このグラスバッグ２４から排風のみを排風戻し通路３３を経由させてカッタハウジング１２に戻す形式の芝刈機において、刈草搬送通路３２をカッタハウジング１２の前後方向に略水平に設けるとともに、排風戻し通路３３を刈草搬送通路３２に隣接させ且つ略直交させて設け、排風戻し通路３３の排風入口（入口）６１をカッタハウジング１２の後部上面２１に設定し、排風戻し通路３３の排風出口（出口）６５をカッタハウジング１２の後部下端２２（具体的には、カッタハウジング１２のスクロール部３１の後部エッジ３７）に内側から臨ませたものと言える。
【００４６】
例えば、グラスバッグから排風を放出すると機体後部に騒音や埃が発生する。これらの騒音の低減や埃の低減を図ることができるとすれば、作業環境を良好に保つことができるので好ましいことであり、芝刈機を小型にすることができるとすれば、機体の重量を軽くすることができ、持運びが便利になるので好都合である。
【００４７】
そこで、排風戻し通路３３を刈草搬送通路３２に隣接させ且つ略直交させて設けることで、機体１１の後方若しくは側方に排風戻し通路３３の通路断面積を拡張することができる。この結果、排風戻し通路３３の通路断面積を任意に設定することができ、十分な騒音の低減や埃の低減を期待することができる。
【００４８】
排風戻し通路３３の排風入口（入口）６１をカッタハウジング１２の後部上面２１に設定することで、排風をグラスバッグ２４の上面から排風戻し通路３３に流すことができる。
【００４９】
一般的にグラスバッグの上面は空間があるので、大量の排風を排風戻し通路３３に還流させることができる。すなわち、カッタハウジング１２からグラスバッグ２４に流れる搬送風をすべて排風として戻すことができるので、グラスバッグ２４から排風を放出する必要性を回避することができる。この結果、十分な騒音の低減や埃の低減を図ることができ、作業環境の保全を保つことができる。
【００５０】
一般的に、芝刈り後のカッタハウジングの後部は芝草面が前部若しくは左右側部に比べて一段低い。また、カッタハウジングの内部は、カッタブレードのエアリフト部で搬送風を発生させるので負圧である。
【００５１】
そこで、排風戻し通路３３の排風出口（出口）６５をカッタハウジング１２の後部下端２２に臨ませることで、カッタハウジング１２の内部に（スクロール部３１に）排風を引込ませることができる。
これにより、排風戻し通路３３を短くすることができる。この結果、芝刈機１０の重量を軽くすることができ、持運びなどの利便性の向上を図ることができる。
【００５２】
ところで、芝刈機１０は、搬送風及び刈草４９をスクロール部３１から斜め上がりに後方に向かって延ばした刈草搬送通路３２を経由させて、斜め上がりに後方に向かって取付けたグラスバッグ２４に搬送するように設計したものである。また、刈草４９と搬送風である空気とを比べれば、刈草４９は重く空気は軽い。従って、刈草４９を刈草収拾部４２の底部材４８（図５参照）に落下させ、搬送風のみを上方に流すことができる。
【００５３】
さらに、刈草収拾部４２の上面に通気体の部材で形成した網状部材４３を設けることで、搬送風と刈草４９とを重力選別することが容易にできる。
搬送風とともに網状部材４３にへばりついた刈草もカッタブレード１４の回転を止めれば、自重で刈草収拾部４２に落下させることができる。また、自重で刈草収拾部４２に落下することができなかった刈草もグラスバッグ２４を叩けば刈草収拾部４２に収納することができる。
【００５４】
すなわち、グラスバッグ２４の左・右側面７７，７８（図５参照）及び後面７９をプラスチック（樹脂材）成形品、プラスチックシート若しくはプラスチックフィルムなどの非通気体で形成したので、左・右側面７７，７８及び後面７９に刈草４９が引っ掛かることはなく、付着した刈草も容易に落すことができる。従って、グラスバッグ２４は芝捨て性がよい（刈草の離型性がよい）ものと言え、刈草４９の残存量を少なくすることができる。この結果、刈草４９の廃棄を簡単にすることができる。
【００５５】
図９（ａ），（ｂ）は本発明に係る第１実施形態の芝刈機の通常作業での搬送風、刈草及び排風の流れを示す平面断面図である。
（ａ）において、先ず、カッタブレード１４で芝草面を刈り、刈った刈草を搬送風とともにグラスバッグ２４の刈草収拾部４２に搬送し、この刈草収拾部４２で刈草を収拾し、網状部材４３から搬送風を排風として排風導通路５１（図８参照）に流し、この排風導通路５１から接続通路５２を経由させて排風を排風戻し通路３３に流し、この排風戻し通路３３から排風を空洞部３４に流し、この空洞部３４に流れた排風を負圧を形成するスクロール部３１に引込む。
【００５６】
（ｂ）において、白抜きＵ字部分Ｃは刈込み済みの芝草面を示し、黒点部分Ｂは刈込み前の芝草面を示す。また、黒点部分Ｄは刈込み前の芝草面なので、白抜きＵ字部分Ｃの刈込み済みの芝草面よりも高さがある。従って、芝刈り作業中においては、（ａ）に示すカッタハウジング１２の前面、左・右側面は黒点部分Ｄの壁で囲まれ、カッタハウジング１２の後面は白抜きＵ字部分Ｃの開口があるものと見なすことができる。
【００５７】
すなわち、図８に示すように、カッタハウジング１２の後部下端２２に排風戻し通路３３の排風出口６５を臨ますことで、他の部分（カッタハウジング１２の前面、左・右側面）に排風戻し通路３３の排風出口６５を臨ますよりも、スクロール部３１の負圧による排風引込み作用を生かしやすいものと言える。この結果、排風の環流（循環）効率の促進を図ることができる。
【００５８】
図１０は本発明に係る第１実施形態の芝刈機の作業開始時の搬送風、刈草及び排風の流れを示す側面断面図である。
芝刈り開始当初の搬送風（排風）の流れを示し、芝刈り開始当初は刈草が刈草収拾部に堆積した状態ではないので、搬送風は刈草収拾部の後面に当たり、排風として刈草収拾部４２の後壁３５へ戻ることが多いことが実験的に観察することができた。そこで、カッタハウジング１２の後壁３５に、カッタハウジング１２の後部下端２２に排風を戻すための複数の貫通孔（補助排風戻し通路）３６・・・を設けた。
【００５９】
カッタハウジング１２の後壁３５に、カッタハウジング１２の後部下端２２に排風を戻すための複数の貫通孔（補助排風戻し通路）３６・・・を設けることで、刈草収拾部４２に刈草の堆積がない状態でも（排風戻し通路３３に排風を戻しにくい状況が生じた場合にも）便宜的にカッタハウジング１２に排風を還流させることができる。この結果、排風還流（循環）の促進を図ることができる。
【００６０】
図１１（ａ），（ｂ）は本発明に係る第１実施形態の芝刈機の刈草放出作業時の搬送風、刈草及び排風の流れを示す側面断面図である。（ａ）はグラスバッグ２４を装着した芝刈機１０を示し、（ｂ）はグラスバッグ２４を取外した芝刈機１０を示す。
例えば、芝刈面積が大きい面積に渡るとともに、刈草をグラスバッグ２４（図２参照）に収拾してかたづける必要のない牧草地や草刈り場（フィールド）などでは、刈草を芝刈面に放置する刈り放し作業をすることが多い。
【００６１】
そこで、排風還流式の芝刈機でありながら、刈り放し作業でも使用することができるようにすることは、芝刈作業の多様性のニーズに対応することができ、芝刈機の利便性を向上させることができるので好ましいことである。
【００６２】
（ａ）に示すように、芝刈機１０は、エンジン（動力源）１３でカッタブレード１４を回転させ、このカッタブレード１４をカッタハウジング１２で覆い、カッタハウジング１２に刈草を搬送する刈草搬送通路３２を設けるとともに排風を戻す排風戻し通路３３を設け、これらの刈草搬送通路３２及び排風戻し通路３３に刈草を溜めるグラスバッグ２４を連通させ、カッタブレード１４のエアリフト部３９，３９で発生させる搬送風で刈草を刈草搬送通路３２を経由させてグラスバッグ２４に搬送し、このグラスバッグ２４から排風のみを排風戻し通路３３を経由させてカッタハウジング１２に戻す形式の芝刈機において、カッタハウジング１２の前後方向に刈草搬送通路３２を略水平に設けるとともに、この刈草搬送通路３２に隣接させ且つ略直交させて排風戻し通路３３を設け、この排風戻し通路３３の排風入口（入口）６１をカッタハウジング１２の後部上面２１に設定し、グラスバッグ２４を取外して刈草を芝草面に放出する作業時には排風入口（入口）６１を塞いで刈草を芝草面に案内するとともに、グラスバッグ２４を装着してグラスバッグ２４からカッタハウジング１２に排風を戻す作業時にはグラスバッグ２４の一部を覆ってグラスバッグ２４から排風戻し通路３３に排風を戻すディスチャージガード２３を排風入口（入口）６１の上端にスイング可能に取付けたものである。
【００６３】
すなわち、芝刈機１０は、グラスバッグ２４を装着してグラスバッグ２４からカッタハウジング１２に排風を戻す作業時にはグラスバッグ２４の一部を覆ってグラスバッグ２４から排風戻し通路３３に排風を戻すとともに、グラスバッグ２４を取外して刈草を芝草面に放出する作業時には排風戻し通路３３の排風入口６１を塞いで刈草を芝草面に案内するディスチャージガード２３を排風入口６１の上端にスイング可能に取付けることで、（ａ）に示すグラスバッグ２４からカッタハウジング１２に排風を戻す作業時には、ディスチャージガード２３を排風を戻す通路機能部材として機能させ、（ｂ）に示すグラスバッグ２４を取外して刈草を芝草面に放出する作業時には、ディスチャージガード２３を排風戻し通路３３の排風入口６１を塞ぐ蓋機能部材として作用させるとともに、ディスチャージガード２３を刈草を芝草面に案内する案内機能部材として機能させることができる。
【００６４】
（ｂ）に示すように、芝刈機１０は、グラスバッグ２４からカッタハウジング１２に排風を戻す排風還流式の芝刈機１０でありながら、刈り放し作業でも使用することができる芝刈機１０を実現することができる。この結果、芝刈作業の多様性のニーズに対応することができ、芝刈機１０の利便性を向上させることができる。
【００６５】
なお、図５に示すように、排風戻し通路３３とディスチャージガード２３との間にリターンばね６８介在させたので、刈り放し作業中にディスチャージガード２３が持上げられたり、振動することはない。すなわち、良好に刈り放し作業を遂行することができる。
【００６６】
図１２は本発明に係る第２実施形態の芝刈機の側面断面図であり、芝刈機１０（図２参照）に使用の部品と同一部品は同一符号を用いて詳細な説明は省略する。
芝刈機１００は、芝刈機１０と比較してグラスバッグ２４（図２参照）が異なる芝刈機であり、グラスバッグ１２４を、略直方体形状に形成し、略直方体の前面に開口部１２５を設け、この開口部１２５を刈草搬送通路３２に臨ませ、略直方体の左・右側面１７７，１７８（図１３参照）、後面１７９及び底面（底部材）１４８を非通気体にて形成することで、刈草を収拾する刈草収拾部１４２を形成し、略直方体の上面に通気体の網状部材１４３を設け、この網状部材１４３の上部に空間を空け、且つ前方を解放させ後方を塞いだ非通気体のカバー部材１４４を被せることで、排風戻し通路３３に臨ませる排風導通路１５１を形成し、且つグラスバッグ１２４に後面を解放させた後面解放口１５７を設け、この後面解放口１５７に通気体の後部網状部材１５８を設け、カバー部材１４４を延出することで、後面解放口１５７を覆うとともに排風導通路１５１に連通させる後部導通路１５９を形成したものである。
【００６７】
なお、１１１は機体、１２はカッタハウジング、１３はエンジン、１４はカッタブレード、１５は前輪、１７は後輪、１８はハンドルステー、１９はハンドル、２１は後部上面、２２は後部下端、２３はディチャージガード、２７はヘッドカバー、２８は回転軸、３１はスクロール部、３２は刈草搬送通路、３３は排風戻し通路、３４は空洞部、３５は後壁、５２は接続通路、６７は排風ガードを示す。
【００６８】
図１３は本発明に係る第２実施形態の芝刈機の刈草搬送通路及び排風戻し通路を構成する主な部品の分解斜視図であり、図中、５３は搬送風入口、５４は搬送風出口、５５，５６は左右のブラケット、５７は通路本体部、５８は補助部材、６１は排風入口、６２，６２は支持部、６３は支持壁、６４は排風規制口、６５は排風出口、６６はシャフトであり、グラスバッグ１２４の詳細を説明する。
【００６９】
グラスバッグ１２４は、カッタハウジング１２の後壁３５に着脱可能に取付ける略直方体形状の部材であって、カッタハウジング１２に取付けるフレーム体１４１と、このフレーム体１４１に取付けるとともに刈草を収拾するために非通気性の部材で形成した刈草収拾部１４２と、この刈草収拾部１４２の上面に設けた通気体の部材で形成した網状部材１４３と、網状部材１４３の上部に空間を空けるとともに前方を解放させ後方を塞いだ非通気体のカバー部材１４４と、刈草収拾部１４２の後面に設けた通気体の部材で形成した後部網状部材１５８と、からなる。
【００７０】
刈草収拾部１４２は、上面１７６、左・右側面１７７，１７８及び後面１７９を非通気性布部材で形成した本体部材１４７と、底を樹脂成形部材形成した底面としての底部材１４８と、カッタハウジング１２の後壁３５に当接させることで刈草搬送通路３２に臨ます開口部１４５と、網状部材１４３を取付ける上部開口１４６と、後部網状部材１５８を取付ける後面解放口１５７とを形成したものであり、刈草及び搬送風を分離する部分である。
【００７１】
カバー部材１４４は、刈草収拾部１４２の上部開口１４６の後部に被せることで、網状部材１４３とともに排風を排風戻し通路３３に導く排風導通路１５１を形成する上部本体１６１と、刈草収拾部４２の後面に被せ、排風導通路１５１に連通させることで、後部導通路１５９を形成する後部延出部１６２と、を備える。
【００７２】
図１４（ａ），（ｂ）は本発明に係る第２実施形態の芝刈機の刈草放出作業時の搬送風、刈草及び排風の流れを示す説明図である。
（ａ）において、先ず、カッタブレード１４で芝草面を刈り、刈った刈草４９を搬送風とともにグラスバッグ１２４の刈草収拾部１４２に搬送し、この刈草収拾部１４２で刈草４９を収拾し、網状部材１４３から搬送風を排風として排風導通路１５１に流すとともに、後部網状部材１５８から搬送風を排風として後部導通路１５９を経由させて排風導通路１５１に流し、この排風導通路１５１から接続通路５２を経由させて排風を排風戻し通路３３に流し、この排風戻し通路３３から排風を空洞部３４に放出し、この空洞部３４に放出した排風を負圧を形成するスクロール部３１に引込むようにする。
【００７３】
また、芝刈機１００では、刈草４９が刈草収拾部１４２に堆積した状態では、搬送風が堆積した刈草４９に当たり上方に向かうので、網状部材１４３から排風が排風導通路１５１に流れるものと考えられ、刈草収拾部１４２に刈草４９が堆積前（芝刈り開始当初）では、搬送風が刈草収拾部１４２の後面に直接向かうので、後部網状部材１５８から排風が後部導通路１５９を経由して排風導通路１５１に流れるものと考えられる。
【００７４】
すなわち、（ｂ）において、グラスバッグ１２４に後面を解放させた後面解放口１５７を設け、この後面解放口１５７に通気体の後部網状部材１５８を設け、（ａ）に示すカバー部材１４４の上部本体１６１を延出して後部延出部１６２を形成し、この後部延出部１６２で後面解放口１５７を覆うとともに（ａ）に示す排風導通路１５１に連通する後部導通路１５９を形成したので、グラスバッグ１２４の後面からも排風を排風戻し通路３３に戻すことができる。
【００７５】
この結果、グラスバッグ１２４に堆積する刈草の状態で搬送風がグラスバッグ１２４の上部に流れにくい場合に、刈草４９を搬送済みの搬送風を排風として有効に排風戻し通路３３に導くことができる。
【００７６】
図１５は本発明に係る第３実施形態の芝刈機の側面断面図であり、芝刈機１０（図２参照）に使用の部品と同一部品は同一符号を用いて詳細な説明は省略する。
芝刈機２００は、芝刈機１０と比較してグラスバッグ２４（図２参照）が異なる芝刈機であり、エンジン（動力源）１３でカッタブレード１４を回転させ、このカッタブレード１４をカッタハウジング１２で覆い、カッタハウジング１２に刈草を搬送する刈草搬送通路３２を設けるとともに排風を戻す排風戻し通路３３を設け、これらの刈草搬送通路３２及び排風戻し通路３３に刈草を溜めるグラスバッグ２２４を連通させ、カッタブレード１４のエアリフト部３９，３９で発生させる搬送風で刈草を刈草搬送通路３２を経由させてグラスバッグ２２４に搬送し、このグラスバッグ２２４から排風のみを排風戻し通路３３を経由させてカッタハウジング１２に戻す形式の芝刈機において、グラスバッグ２２４を、刈草を収拾する刈草収拾機能を有するインナ部材（インナバッグ）２４２と、インナ部材２４２の一部を覆う膨出可能なアウタ部材（アウタバッグ）２４３と、これらのインナ部材２４２及びアウタ部材２４３を支持するとともにカッタハウジング１２の後壁３５に着脱可能に取付けるフレーム体２４１と、から構成したものである。
【００７７】
なお、２１１は機体、１２はカッタハウジング、１３はエンジン、１４はカッタブレード、１５は前輪、１７は後輪、１８はハンドルステー、１９はハンドル、２１は後部上面、２２は後部下端、２３はディチャージガード、２７はヘッドカバー、２８は回転軸、３１はスクロール部、３２は刈草搬送通路、３３は排風戻し通路、３４は空洞部、３５は後壁、５２は接続通路、６７は排風ガードを示す。
【００７８】
図１６は本発明に係る第３実施形態の芝刈機のグラスバッグの斜視図であり、インナ部材２４２は、略直方体形状の部材であり、略直方体の前面に形成したインナ開口部２４５と、略直方体の上面２７６、左・右側面２７７，２７８及び後面２７９を非通気性布部材で形成したインナ本体部２４７と、略直方体の底を非通気性部材で形成した底面としての底部材２４８と、から構成することで、底部材２４８を含む下方に刈草を収拾する刈草収拾機能を持たせ、上面２７６、左・右側面２７７，２７８及び後面２７９の上方に排風を還流させる排風流通壁機能をを持たせた部材である。
なお、インナ開口部２４５は、カッタハウジング１２の後壁３５に当接させることで、刈草搬送通路３２に臨ませるものである。
【００７９】
アウタ部材２４３は、非通気性布部材で形成した部材であって、インナ部材２４２の上面２７６、左・右側面２７７，２７８及び後面２７９を空間を空けて覆うとともに、フレーム体２４１及び底部材２４８に支持させた部材であり、刈草を除いた排風を導く排風導通路２５１と、この排風導通路２５１を接続通路５２（図１５参照）を介して排風戻し通路３３に臨ませるアウタ開口部２５２と、を備える。
【００８０】
フレーム体２４１は、インナ本体部２４７を支持するインナ支持部２５３と、インナ開口部２４５を形成するインナ開口フレーム２５４と、アウタ開口部２５２を形成するアウタ開口フレーム２５５と、を備える。
【００８１】
図１７は図１６の１７−１７線断面図であり、グラスバッグの側面断面を示す。
芝刈機２００は、グラスバッグ２２４を、略直方体形状を呈したインナ部材２４２と、このインナ部材２４２の一部を覆う膨出（膨張）可能なアウタ部材２４３と、から構成し、インナ部材２４２が、略直方体の上面２７６、左・右側面２７７，２７８（２７８は図１６参照）及び後面２７９を通気性布部材で形成し、略直方体の底面（底部材）２４８を樹脂部材若しくは金属板などの非通気性部材で形成し、略直方体の前面を開口させてインナ開口部２４５を形成し、このインナ開口部２４５を刈草搬送通路３２に臨ませものであり、アウタ部材２４３が、インナ部材２４２の上面２７６、左・右側面２７７，２７８及び後面２７９を空間を設けて非通気性布部材で覆い、インナ開口部２４５側にアウタ開口部２５２を形成し、このアウタ開口部２５２を排風戻し通路３３（図１５参照）に臨ませるものであると言える。
【００８２】
図１８は本発明に係る第３実施形態の芝刈機の別実施例のグラスバッグの側面断面図であり、グラスバッグ２６４は、グラスバッグ２２４（図１７参照）と同一機能を有するバッグであって、刈草を収拾するために非通気性布部材で形成したインナ部材（インナバッグ）２８２と、インナ部材２８２を覆うために非通気性布部材で形成した膨出可能なアウタ部材（アウタバッグ）２８３と、これらのインナ部材２８２及びアウタ部材２８３を支持するフレーム体２４１と、からなる。すなわち、グラスバッグ２６４は、インナ部材２８２及びアウタ部材２８３で２層構成としたバッグと言える。
【００８３】
図中、２８５はインナ開口部、２９２はアウタ開口部、２９１はインナ部材２８２及びアウタ部材２８３で構成することで排風を排風戻し通路３３（図１５参照）に流す排風導通路を示す。
【００８４】
グラスバッグ２６４を、刈草を収拾するために非通気性布部材で形成したインナ部材２８２と、インナ開口部２８５を除いてインナ部材２８２を覆うために非通気性布部材で形成した膨出可能なアウタ部材２８３と、から２層構成とすることで、グラスバッグ２６４の軽量化を図ることができる。例えば、刈草の処分などでグラスバッグを扱いやすい。この結果、グラスバッグ２６４の利便性の向上を図ることができる。
【００８５】
図１９（ａ），（ｂ）は本発明に係る第３実施形態の芝刈機の作業開始前の状態示す説明図である。
（ａ）において、例えば、グラスバッグから排風を放出すると機体後部に騒音や埃が発生する。これらの騒音の低減や埃の低減を図ることができるとすれば、作業環境を良好に保つことができるので好ましいことである。
【００８６】
そこで、インナ部材２４２を、略直方体形状に形成し、略直方体の前面にインナ開口部２４５を設け、このインナ開口部２４５を刈草搬送通路３２に臨ませることで、刈草搬送通路３２からインナ部材２４２に刈草を搬送するようにした。
なお、排風導通路２５１の前方をディスチャージガード２３にて覆ったことを示す。排風導通路２５１の前方をディスチャージガード２３にて覆うことで、アウタ開口部２５２から排風が外部に漏れることを最小限に止めることができる。
【００８７】
また、（ｂ）において、略直方体のインナ部材２４２の底面（底部材）２４８を非通気性部材で形成し、略直方体の上面２７６、左・右側面２７７，２７８及び後面２７９を非通気性布部材で形成することでインナ部材２４２に刈草を残し、上面２７６、左・右側面２７７，２７８及び後面２７９から刈草を搬送済みの搬送風を排風としてアウタ部材２４３に流出させるようにした。
【００８８】
アウタ部材２４３を膨出可能に形成したので、非作業時には収縮した状態になるので、ハンドル１９（図１参照）との隙間も十分に確保することができる。この結果、グラスバッグ２２４の脱着を容易にすることができる。さらに、ハンドル１９（図１参照）との隙間も十分に確保することで機体１１（図１参照）をハンドリングがしやすくなり、芝刈機２００を容易に車両に積載することもできる。
【００８９】
図２０（ａ），（ｂ）は本発明に係る第３実施形態の芝刈機の作業中の搬送風、刈草及び排風の流れを示す説明図である。
（ａ）において、芝刈機２００は、刈草搬送通路３２から搬送風とともに刈草４９をグラスバッグ２２４のインナ部材２４２に搬送し、刈草４９をインナ部材２４２に収拾し、搬送風を排風として通気性のあるインナ部材２４２から非通気性のアウタ部材２４３に流し、アウタ部材２４３側に排風を流すことでアウタ部材２４３を膨出（膨張）させて排風導通路２５１を形成し（膨らまし）、この排風導通路２５１から接続通路５２を介して排風を排風戻し通路３３に戻すことができる。
【００９０】
すなわち、アウタ部材２４３でインナ部材２４２の上面２７６、左・右側面２７７，２７８及び後面２７９を空間を設けて覆い、アウタ部材２４３のインナ開口部２４５側にアウタ開口部２５２を形成し、このアウタ開口部２５２を排風戻し通路３３に臨ませ、インナ部材２４２の上面２７６、左・右側面２７７，２７８及び後面２７９から放出した排風でアウタ部材２４３を膨出させて排風をアウタ開口部２５２から排風戻し通路３３に流すようにした。
【００９１】
インナ部材２４２が、略直方体の上面２７６、左・右側面２７７，２７８及び後面２７９を通気性布部材で形成し、インナ部材２４２の上面２７６、左・右側面２７７，２７８及び後面２７９を空間を設けて非通気性布部材で形成したアウタ部材２４３で覆い、インナ部材２４２の上面２７６、左・右側面２７７，２７８及び後面２７９から放出した排風でアウタ部材を膨出させて排風をアウタ開口部２５２から排風戻し通路３３に流すことで、グラスバッグ２２４からカッタハウジング１２に排風を環流（循環）させることができる。この結果、グラスバッグ２２４から排風を排出することによる騒音の低減を図ることができ、排風とともに排出される埃の低減を図ることができる。
また、アウタ部材２４３を膨出可能に形成したので、ディスチャージガード２３との未着性を改善することができる。この結果、排風の漏れを最小限に止めることができる。
【００９２】
（ｂ）において、略直方体の上面２７６、左・右側面２７７，２７８及び後面２７９を空間を設けて非通気性布部材のアウタ部材２４３で覆うことで、インナ部材及びアウタ部材の間に十分な空間を確保することができる。この結果、排風をすべて排風戻し通路３３に導くことができる。
【００９３】
アウタ部材２４３を膨出可能に形成したので、作業時には排風でアウタ部材２４３のみを膨らませることができ、還流に必要な通路断面積を十分に確保することができる。
また、インナ部材２４２とアウタ部材２４３とで構成する上部空間は、還流により圧力が高まる部分にある。インナ部材２４２の上部をフレーム体２４１で支持したので、インナ部材２４２の変形を防止することができるので、インナ部材２４２とアウタ部材２４３とで構成する上部空間（排風導通路２５１）を十分に確保することができる。
【００９４】
さらに、グラスバッグ２２４に刈草が堆積するにしたがって、インナ部材２４２は刈草が詰まった状態になり、排風の風圧が弱まる。これにより、アウタ部材２４３は若干しぼんだ状態になるので、この状態でグラスバッグ２４４に刈草が満杯になったことを知ることができる。すなわち、アウタ部材２４３を膨出可能に形成したので、アウタ部材２４３に満杯センサとしての機能をもたすことができる。
【００９５】
尚、本発明に係る芝刈機１０は、図２に示すように、動力源にエンジン１３を用いたが、これに限るものではなく、動力源はバッテリ等で駆動する電動モータであってもよい。
【００９６】
本発明に係る芝刈機２００は、図１６に示すように、グラスバッグ２２４をインナ部材２４２及びアウタ部材２４３から構成し、インナ部材２４２の上面２７６、左・右側面２７７，２７８及び後面２７９に排風導通路２５１を形成したが、これに限るものではなく、インナ部材の上面に排風導通路を形成したものであってもよく、インナ部材の上面及び側面に排風導通路を形成したものであってもよく、又インナ部材の上面及び側面に排風導通路を形成したものであってもよい。
【産業上の利用可能性】
【００９７】
本発明に係る芝刈機は、動力源の動力を後輪に伝達する自走式の芝刈機に採用するのに好適である。
【図面の簡単な説明】
【００９８】
【図１】本発明に係る第１実施形態の芝刈機の斜視図である。
【図２】図１の２−２線断面図である。
【図３】図１の３−３線断面図である。
【図４】図１の４矢視図である。
【図５】本発明に係る第１実施形態の芝刈機の刈草搬送通路及び排風戻し通路を構成する主な部品の分解斜視図である。
【図６】本発明に係る第１実施形態の芝刈機の刈草搬送通路の斜視図である。
【図７】本発明に係る第１実施形態の芝刈機の排風戻し通路の斜視図である。
【図８】本発明に係る第１実施形態の芝刈機の通常作業での搬送風、刈草及び排風の流れを示す側面断面図である。
【図９】本発明に係る第１実施形態の芝刈機の通常作業での搬送風、刈草及び排風の流れを示す平面断面図である。
【図１０】本発明に係る第１実施形態の芝刈機の作業開始時の搬送風、刈草及び排風の流れを示す側面断面図である。
【図１１】本発明に係る第１実施形態の芝刈機の刈草放出作業時の搬送風、刈草及び排風の流れを示す側面断面図である。
【図１２】本発明に係る第２実施形態の芝刈機の側面断面図である。
【図１３】本発明に係る第２実施形態の芝刈機の刈草搬送通路及び排風戻し通路を構成する主な部品の分解斜視図である。
【図１４】本発明に係る第２実施形態の芝刈機の刈草放出作業時の搬送風、刈草及び排風の流れを示す説明図である。
【図１５】本発明に係る第３実施形態の芝刈機の側面断面図である。
【図１６】本発明に係る第３実施形態の芝刈機のグラスバッグの斜視図である。
【図１７】図１６の１７−１７線断面図である。
【図１８】本発明に係る第３実施形態の芝刈機の別実施例のグラスバッグの側面断面図である。
【図１９】本発明に係る第３実施形態の芝刈機の作業開始前の状態示す説明図である。
【図２０】本発明に係る第３実施形態の芝刈機の作業中の搬送風、刈草及び排風の流れを示す説明図である。
【図２１】従来の基本構成を説明する図である。
【符号の説明】
【００９９】
１０，１００，２００…芝刈機、１２…カッタハウジング、１３…動力源（エンジン）、１４…カッタブレード、２１…後部上面、２２…後部下端、２３…ディスチャージガード、２４，１２４，２２４…グラスバッグ、３２…刈草搬送通路、３３…排風戻し通路、３６…補助排風戻し通路（貫通孔）、３９…エアリフト部、４２，１４２…刈草収拾部、４３，１４３…網状部材、４４，１４４…カバー部材、４５，１４５…開口部、４８，１４８，２４８…底面（底部材）、５１，１５１，２５１…排風導通路、６１…入口（排風入口）、６５…出口（排風出口）、７６，１７６，２７６…上面、７７，１７７，２７７…左側面、７８，１７８，２７８…右側面、７９，１７９，２７９…後面、１５７…後面解放口、１５８…後部網状部材、１５９…後部導通路、２４２…インナ部材、２４３…アウタ部材、２４５…インナ開口部、２５２…アウタ開口部。
【図１】
2006006204.tif 000003
【図２】
2006006204.tif 000004
【図３】
2006006204.tif 000005
【図４】
2006006204.tif 000006
【図５】
2006006204.tif 000007
【図６】
2006006204.tif 000008
【図７】
2006006204.tif 000009
【図８】
2006006204.tif 000010
【図９】
2006006204.tif 000011
【図１０】
2006006204.tif 000012
【図１１】
2006006204.tif 000013
【図１２】
2006006204.tif 000014
【図１３】
2006006204.tif 000015
【図１４】
2006006204.tif 000016
【図１５】
2006006204.tif 000017
【図１６】
2006006204.tif 000018
【図１７】
2006006204.tif 000019
【図１８】
2006006204.tif 000020
【図１９】
2006006204.tif 000021
【図２０】
2006006204.tif 000022
【図２１】
2006006204.tif 000023